(57)【要約】    【課題】  レンズ鏡筒の沈胴状態における光軸方向寸法にほとんど影響を与えることなく、全体としての光軸方向寸法を薄く構成することができ、また耐久性にも優れた遮光構成を達成する。    【解決手段】  第２レンズ保持枠１０５上に遮光片１２１および遮光片２２１が設けられる。撮影状態では、第２レンズ保持枠１０５に形成された溝孔である貫通孔１１０を、遮光片１２１が遮蔽する。遮光片１２１は、支軸１２２を介して第２レンズ保持枠１０５に旋回可能に支持され、且つトーションスプリング等の付勢部材１２３によって貫通孔を遮蔽する方向に付勢されている。沈胴状態では、副軸３１が第２レンズ保持枠１０５の貫通孔１１０の溝孔部分を貫通し、遮光片１２１が副軸３１によって押しのけられ、光軸に直交する平面内を付勢部材１２３による偏倚力に抗して回転移動して副軸３１が挿通される。他方の遮光片２２１も同様に作動して、貫通孔１１０を遮蔽する。【選択図】    図８
2008076713.tif 000002
【特許請求の範囲】
【請求項１】
複数のレンズ群をそれぞれレンズ群毎に保持する複数のレンズ保持枠と、
前記複数のレンズ群の少なくとも一部を沈胴させた沈胴状態と被写体側に移動させた撮影状態の間で前記複数のレンズ保持枠を駆動するするレンズ保持枠駆動手段と、
前記レンズ保持枠を内部に保持する可動レンズ鏡筒と、
前記可動レンズ鏡筒を前記レンズ保持枠駆動手段を介して可動支持する固定枠と、
前記固定枠の基端側に一体的に設けられる基板と、
を備えるとともに、
前記複数のレンズ保持枠は、沈胴状態では少なくとも１つのレンズ群を前記可動レンズ鏡筒の内径よりも外側に退避させるべく前記少なくとも１つのレンズ群を保持する少なくとも１つの退避レンズ保持枠を含み、且つ
前記基板と一体的に設けられ、前記退避レンズ保持枠を光軸に直交する平面上で旋回退避させるための回転中心として光軸にほぼ平行に配設される主軸と、
前記基板に立設され、前記退避レンズ保持枠に保持されているレンズ群の中心と前記可動レンズ鏡筒の光軸を一致させるために前記退避レンズ保持枠の回転方向の位置決めのために前記主軸にほぼ平行に配設される副軸と、
をそれぞれ少なくとも１つずつさらに含むレンズ鏡筒において、
前記複数のレンズ保持枠の少なくとも１つに、貫通孔が形成されており、且つ
前記貫通孔を塞ぐべく前記レンズ保持枠上に光軸に直交する平面上で回転する遮光片を設けてなることを特徴とするレンズ鏡筒。
【請求項２】
前記貫通孔は、沈胴状態で前記退避レンズ保持枠の位置決めのための副軸が挿通される開口であり、前記遮光片は、前記副軸が脱離する撮影状態において当該開口を遮蔽する部材であることを特徴とする請求項１に記載のレンズ鏡筒。
【請求項３】
前記遮光片は、光軸に直交する平面上において回転可能として前記レンズ保持枠上に支軸を介して支持されていることを特徴とする請求項１または請求項２に記載のレンズ鏡筒。
【請求項４】
前記遮光片は、撮影状態から沈胴状態へ移行するときの駆動力に基づいて、前記貫通孔を遮蔽する遮光状態から前記貫通孔を遮蔽しない開放状態へ回転移動されることを特徴とする請求項１〜請求項３のいずれか１項に記載のレンズ鏡筒。
【請求項５】
前記遮光片は、撮影状態から沈胴状態へ移行するときの前記副軸との相対移動に基づいて、前記貫通孔を遮蔽する遮光状態から前記貫通孔を遮蔽しない開放状態へ回転移動されることを特徴とする請求項１〜請求項４のいずれか１項に記載のレンズ鏡筒。
【請求項６】
前記副軸との相対移動によって、前記副軸の先端部と前記遮光片の一部が当接係合し、さらに前記副軸が相対移動することによって、前記遮光片が回転移動されることを特徴とする請求項５に記載のレンズ鏡筒。
【請求項７】
前記遮光片の前記支軸は、金属で形成されたピンを含むことを特徴とする請求項３〜請求項６のいずれか１項に記載のレンズ鏡筒。
【請求項８】
前記遮光片は、金属および樹脂の少なくとも一方で形成されており、前記副軸に当接する部分は摺動処理が施されていることを特徴とする請求項１〜請求項７のいずれか１項に記載のレンズ鏡筒。
【請求項９】
前記遮光片は、被写体側の面に反射防止処理が施されていることを特徴とする請求項１〜請求項７のいずれか１項に記載のレンズ鏡筒。
【請求項１０】
前記遮光片は、撮影状態から沈胴状態へ移行するときの他のレンズ保持枠との相対移動に基づいて、前記貫通孔を遮蔽する遮光状態から前記貫通孔を遮蔽しない開放状態へ回転移動されることを特徴とする請求項１〜請求項４のいずれか１項に記載のレンズ鏡筒。
【請求項１１】
前記他のレンズ保持枠との相対移動によって、前記他のレンズ保持枠に形成された係合部と前記遮光片の一部が当接係合し、さらに前記他のレンズ保持枠が相対移動することによって、前記遮光片が回転移動されることを特徴とする請求項１０に記載のレンズ鏡筒。
【請求項１２】
前記遮光片は、撮影状態から沈胴状態へ移行するときの前記レンズ保持枠駆動手段の駆動に基づいて、前記貫通孔を遮蔽する遮光状態から前記貫通孔を遮蔽しない開放状態へ回転移動されることを特徴とする請求項１〜請求項４のいずれか１項に記載のレンズ鏡筒。
【請求項１３】
前記レンズ保持枠駆動手段の駆動によって、前記レンズ保持枠駆動手段の一部に形成された係合部と前記遮光片の一部が当接係合し、さらに前記レンズ保持枠駆動手段が作動することによって、前記遮光片が回転駆動されることを特徴とする請求項１２に記載のレンズ鏡筒。
【請求項１４】
複数のレンズ群をそれぞれレンズ群毎に保持する複数のレンズ保持枠と、
前記複数のレンズ群の少なくとも一部を沈胴させた沈胴状態と被写体側に移動させた撮影状態の間で前記複数のレンズ保持枠を駆動するするレンズ保持枠駆動手段と、
前記レンズ保持枠を内部に保持する可動レンズ鏡筒と、
前記可動レンズ鏡筒を前記レンズ保持枠駆動手段を介して可動支持する固定枠と、
前記固定枠の基端側に一体的に設けられる基板と、
を備えるとともに、
前記複数のレンズ保持枠は、沈胴状態では少なくとも１つのレンズ群を前記可動レンズ鏡筒の内径よりも外側に退避させるべく前記少なくとも１つのレンズ群を保持する少なくとも１つの退避レンズ保持枠を含み、且つ
前記基板と一体的に設けられ、前記退避レンズ保持枠を光軸に直交する平面上で旋回退避させるための回転中心として光軸にほぼ平行に配設される主軸と、
前記基板に立設され、前記退避レンズ保持枠に保持されているレンズ群の中心と前記可動レンズ鏡筒の光軸を一致させるために前記退避レンズ保持枠の回転方向の位置決めのために前記主軸にほぼ平行に配設される副軸と、
をそれぞれ少なくとも１つずつさらに含むレンズ鏡筒において、
前記複数のレンズ保持枠の少なくとも１つに、貫通孔が形成されており、且つ
前記貫通孔を塞ぐべく前記貫通孔の内周壁の少なくとも一部にポリエステル系ポリウレタンフォームからなる遮光部材を貼設してなることを特徴とするレンズ鏡筒。
【請求項１５】
複数のレンズ群をそれぞれレンズ群毎に保持する複数のレンズ保持枠と、
前記複数のレンズ群の少なくとも一部を沈胴させた沈胴状態と被写体側に移動させた撮影状態の間で前記複数のレンズ保持枠を駆動するするレンズ保持枠駆動手段と、
前記レンズ保持枠を内部に保持する可動レンズ鏡筒と、
前記可動レンズ鏡筒を前記レンズ保持枠駆動手段を介して可動支持する固定枠と、
前記固定枠の基端側に一体的に設けられる基板と、
を備えるとともに、
前記複数のレンズ保持枠は、沈胴状態では少なくとも１つのレンズ群を前記可動レンズ鏡筒の内径よりも外側に退避させるべく前記少なくとも１つのレンズ群を保持する少なくとも１つの退避レンズ保持枠を含み、且つ
前記基板と一体的に設けられ、前記退避レンズ保持枠を光軸に直交する平面上で旋回退避させるための回転中心として光軸にほぼ平行に配設される主軸と、
前記基板に立設され、前記退避レンズ保持枠に保持されているレンズ群の中心と前記可動レンズ鏡筒の光軸を一致させるために前記退避レンズ保持枠の回転方向の位置決めのために前記主軸にほぼ平行に配設される副軸と、
をそれぞれ少なくとも１つずつさらに含むレンズ鏡筒において、
前記複数のレンズ保持枠の少なくとも１つに、貫通孔が形成されており、且つ
前記貫通孔を塞ぐべく前記貫通孔の内周壁の少なくとも一部に植毛紙からなる遮光部材を貼設してなることを特徴とするレンズ鏡筒。
【請求項１６】
前記貫通孔は、沈胴状態で前記退避レンズ保持枠の位置決めのための副軸が挿通される開口であり、前記遮光部材は、前記副軸が脱離する撮影状態において当該開口を実質的に遮蔽する部材であることを特徴とする請求項１４または請求項１５に記載のレンズ鏡筒。
【請求項１７】
請求項１〜請求項１６のうちのいずれか１項に記載のレンズ鏡筒を撮像用光学系として含むことを特徴とする撮像装置。
【請求項１８】
請求項１〜請求項１６のうちのいずれか１項に記載のレンズ鏡筒を撮像用光学系として含むことを特徴とするディジタルカメラ。
【発明の詳細な説明】
【技術分野】
【０００１】
本発明は、ある形態ではレンズ群を沈胴して収納し、他の形態では前記レンズ群を所定位置まで繰り出して使用する沈胴式のレンズ鏡筒における光漏れ対策に係り、特に複数のレンズ群を相対的に移動させて焦点距離を変更するズームレンズに好適なレンズ鏡筒、ならびにこのようなレンズ鏡筒を撮像用光学系に用いる撮像装置およびディジタルカメラに関するものである。
【背景技術】
【０００２】
ディジタルカメラ等の撮像装置においては、焦点距離変更可能なズームレンズ等の撮影レンズの高性能化およびユーザの要求による小型化等の進展に伴い、撮影時以外には、レンズ鏡筒が撮像装置本体内に収納される、いわゆる沈胴式の撮影レンズを用いるものが増加している。さらには、単なる小型化ではなく、より一層の薄型化の要求により、沈胴収納状態でのレンズ鏡胴部分の厚み寸法を極限にまで減らすことが重要となってきている。
このように、撮像装置の薄型化の要求に対処する技術として、撮影時以外にレンズ鏡筒が撮像装置本体に収納される沈胴式の構成が用いられているが、この種の沈胴式のレンズ鏡筒では複数のレンズ群をそれぞれ保持する複数のレンズ保持枠の距離が縮まるために干渉が生じ、そのような干渉を解消するためにレンズ保持枠の一部を切欠したり、レンズ保持枠の一部に孔を設けたりして、レンズ保持枠を貫通する開口部つまり貫通孔を形成している。このため、結果的に本来のレンズによる光路を通らずにレンズ保持枠の貫通孔を通る有害光が発生し、この有害光によるフレア等の画像劣化が起こってしまう。
【０００３】
そこで、このようなレンズ保持枠の貫通孔を通る有害光に対処する技術が、例えば特許文献１（特開２００６−７９０７０号）、特許文献２（特開２００５−３０８８４３号）および特許文献３（実用新案登録第２５６５０２２号公報）に開示されている。特許文献１には、弾性変形可能な遮光弾性舌片をレンズ保持枠に固定し、該遮光弾性舌片を外周鏡筒の内周面と接触させることによって貫通溝部分を遮光する構成が示されている。特許文献２には、切欠部のあるレンズ保持枠の壁部に光軸が垂直に交わる面にほぼ平行な軸線を軸として揺動可能に遮光片を設け、沈胴状態では他のレンズ枠の突起により光軸方向にほぼ平行に退避し、撮影状態では遮光片を付勢部材によって光軸が垂直に交わる面にほぼ平行な遮光状態に復帰させる構成が示されている。特許文献３には、外周縁部に放射状に多数の切り込みを入れた薄膜遮光シートからなる遮光部材を設けることによって、摺動嵌合部の空隙を遮光する構成が示されている。
【０００４】
【特許文献１】特開２００６−７９０７０号公報
【特許文献２】特開２００５−３０８８４３号公報
【特許文献３】実用新案登録第２５６５０２２号公報
【発明の開示】
【発明が解決しようとする課題】
【０００５】
しかしながら、特許文献１のような構成では、弾性変形可能な部材を押圧して撓み変形させるために、耐久性に問題があり、しかもレンズ保持枠と外周鏡筒との間の相対移動に対する抵抗となってレンズ鏡筒の駆動力に影響が出てしまう。特許文献２のような構成では、沈胴状態において遮光片を光軸にほぼ平行な向きとして退避させるために遮光片の大きさがレンズ鏡筒の沈胴状態での寸法に影響し、例えば厚みに加わってしまう。特許文献３の構成を本発明のようなレンズ鏡筒に採用すると、レンズ鏡筒の沈胴状態では、常に遮光シートに負荷がかかることになり、長時間沈胴状態を維持すれば遮光シートが塑性的に変形してしまい、撮影状態における遮光に支障をきたすおそれがある。
本発明は、上述した事情に鑑みてなされたもので、沈胴状態における光軸方向寸法にほとんど影響を与えることなく、全体としての光軸方向寸法を薄く構成することができ、また耐久性にも優れた遮光構成を達成し得るレンズ鏡筒、撮像装置およびディジタルカメラを提供することを目的としている。
すなわち、本発明の請求項１の目的は、沈胴状態での厚み寸法を増大させることなく、撮影状態での効果的な遮光を可能とし、良好な画像を得ることを可能とするレンズ鏡筒を提供することにある。
【０００６】
本発明の請求項２の目的は、特に、副軸の光軸方向の長さを確保するとともに、退避レンズ保持枠の光軸方向の移動可能距離を増大させ、ズーム倍率やフォーカス性能を向上させることを可能とするレンズ鏡筒を提供することにある。
本発明の請求項３の目的は、特に、沈胴状態での厚み寸法に影響することなく、撮影状態での効果的な遮光を達成し、良好な画質を得ることを可能とするレンズ鏡筒を提供することにある。
本発明の請求項４の目的は、特に、遮光片を効率良く退避させ、且つ沈胴状態での厚みを薄くすることを可能とするレンズ鏡筒を提供することにある。
本発明の請求項５の目的は、特に、遮光片を確実に退避させ、且つ沈胴状態での厚みを薄くすることを可能とするレンズ鏡筒を提供することにある。
本発明の請求項６の目的は、特に、遮光片を一層確実に退避させて、沈胴状態での厚みを薄くすることを可能とするレンズ鏡筒を提供することにある。
本発明の請求項７の目的は、特に、耐久性に優れた退避のための構成を達成し、沈胴状態での厚みを薄くすることを可能とするレンズ鏡筒を提供することにある。
本発明の請求項８の目的は、特に、一層耐久性に優れた退避のための構成を達成し、沈胴状態での厚みを薄くすることを可能とするレンズ鏡筒を提供することにある。
【０００７】
本発明の請求項９の目的は、特に、撮影状態においてレンズを通った光が遮光片に反射することによる有害光の発生を抑制し、良好な画質を得ることを可能とするレンズ鏡筒を提供することにある。
本発明の請求項１０の目的は、特に、遮光片を確実に退避させ、且つ沈胴状態での厚みを薄くすることを可能とするレンズ鏡筒を提供することにある。
本発明の請求項１１の目的は、特に、遮光片を一層確実に退避させて、沈胴状態での厚みを薄くすることを可能とするレンズ鏡筒を提供することにある。
本発明の請求項１２の目的は、特に、遮光片を確実に退避させ、且つ沈胴状態での厚みを薄くすることを可能とするレンズ鏡筒を提供することにある。
本発明の請求項１３の目的は、特に、遮光片を一層確実に退避させて、沈胴状態での厚みを薄くすることを可能とするレンズ鏡筒を提供することにある。
本発明の請求項１４の目的は、特に、耐久性に優れた遮光を達成し、良好な画像を得ることを可能とするレンズ鏡筒を提供することにある。
本発明の請求項１５の目的は、特に、耐久性に優れた遮光を達成し、良好な画像を得ることを可能とするレンズ鏡筒を提供することにある。
【０００８】
本発明の請求項１６の目的は、特に、副軸の光軸方向の長さを確保するとともに、退避レンズ保持枠の光軸方向の移動可能距離を増大させ、ズーム倍率やフォーカス性能を向上させることを可能とするレンズ鏡筒を提供することにある。
本発明の請求項１７の目的は、特に、光学系により形成される本来の光路以外の部分で反射しまたは本来の光路以外の部分を透過した有害光を遮光し、良好な画像を得ることを可能とする撮像装置を提供することにある。
本発明の請求項１８の目的は、特に、光学系により形成される本来の光路以外の部分で反射しまたは本来の光路以外の部分を透過した有害光を遮光し、良好な画像を得ることを可能とするディジタルカメラを提供することにある。
【課題を解決するための手段】
【０００９】
請求項１に記載した本発明に係るレンズ鏡筒は、上述した目的を達成するために、
複数のレンズ群をそれぞれレンズ群毎に保持する複数のレンズ保持枠と、
前記複数のレンズ群の少なくとも一部を沈胴させた沈胴状態と被写体側に移動させた撮影状態の間で前記複数のレンズ保持枠を駆動するするレンズ保持枠駆動手段と、
前記レンズ保持枠を内部に保持する可動レンズ鏡筒と、
前記可動レンズ鏡筒を前記レンズ保持枠駆動手段を介して可動支持する固定枠と、
前記固定枠の基端側に一体的に設けられる基板と、
を備えるとともに、
前記複数のレンズ保持枠は、沈胴状態では少なくとも１つのレンズ群を前記可動レンズ鏡筒の内径よりも外側に退避させるべく前記少なくとも１つのレンズ群を保持する少なくとも１つの退避レンズ保持枠を含み、且つ
前記基板と一体的に設けられ、前記退避レンズ保持枠を光軸に直交する平面上で旋回退避させるための回転中心として光軸にほぼ平行に配設される主軸と、
前記基板に立設され、前記退避レンズ保持枠に保持されているレンズ群の中心と前記可動レンズ鏡筒の光軸を一致させるために前記退避レンズ保持枠の回転方向の位置決めのために前記主軸にほぼ平行に配設される副軸と、
をそれぞれ少なくとも１つずつさらに含むレンズ鏡筒において、
前記複数のレンズ保持枠の少なくとも１つに、貫通孔が形成されており、且つ
前記貫通孔を塞ぐべく前記レンズ保持枠上に光軸に直交する平面上で回転する遮光片を設けてなることを特徴としている。
【００１０】
請求項２に記載した本発明に係るレンズ鏡筒は、請求項１のレンズ鏡筒であって、
前記貫通孔は、沈胴状態で前記退避レンズ保持枠の位置決めのための副軸が挿通される開口であり、前記遮光片は、前記副軸が脱離する撮影状態において当該開口を遮蔽する部材であることを特徴としている。
請求項３に記載した本発明に係るレンズ鏡筒は、請求項１または請求項２のレンズ鏡筒であって、
前記遮光片は、光軸に直交する平面上において回転可能として前記レンズ保持枠上に支軸を介して支持されていることを特徴としている。
請求項４に記載した本発明に係るレンズ鏡筒は、請求項１〜請求項３のいずれか１項のレンズ鏡筒であって、
前記遮光片は、撮影状態から沈胴状態へ移行するときの駆動力に基づいて、前記貫通孔を遮蔽する遮光状態から前記貫通孔を遮蔽しない開放状態へ回転移動されることを特徴としている。
【００１１】
請求項５に記載した本発明に係るレンズ鏡筒は、請求項１〜請求項４のいずれか１項のレンズ鏡筒であって、
前記遮光片は、撮影状態から沈胴状態へ移行するときの前記副軸との相対移動に基づいて、前記貫通孔を遮蔽する遮光状態から前記貫通孔を遮蔽しない開放状態へ回転移動されることを特徴としている。
請求項６に記載した本発明に係るレンズ鏡筒は、請求項５のレンズ鏡筒であって、
前記副軸との相対移動によって、前記副軸の先端部と前記遮光片の一部が当接係合し、さらに前記副軸が相対移動することによって、前記遮光片が回転移動されることを特徴としている。
請求項７に記載した本発明に係るレンズ鏡筒は、請求項３〜請求項６のいずれか１項のレンズ鏡筒であって、
前記遮光片の前記支軸は、金属で形成されたピンを含むことを特徴としている。
【００１２】
請求項８に記載した本発明に係るレンズ鏡筒は、請求項１〜請求項７のいずれか１項のレンズ鏡筒であって、
前記遮光片は、金属および樹脂の少なくとも一方で形成されており、前記副軸に当接する部分は摺動処理が施されていることを特徴としている。
【００１３】
請求項９に記載した本発明に係るレンズ鏡筒は、請求項１〜請求項７のいずれか１項のレンズ鏡筒であって、
前記遮光片は、被写体側の面に反射防止処理が施されていることを特徴としている。
【００１４】
請求項１０に記載した本発明に係るレンズ鏡筒は、請求項１〜請求項４のいずれか１項のレンズ鏡筒であって、
前記遮光片は、撮影状態から沈胴状態へ移行するときの他のレンズ保持枠との相対移動に基づいて、前記貫通孔を遮蔽する遮光状態から前記貫通孔を遮蔽しない開放状態へ回転移動されることを特徴としている。
請求項１１に記載した本発明に係るレンズ鏡筒は、請求項１０のレンズ鏡筒であって、
前記他のレンズ保持枠との相対移動によって、前記他のレンズ保持枠に形成された係合部と前記遮光片の一部が当接係合し、さらに前記他のレンズ保持枠が相対移動することによって、前記遮光片が回転移動されることを特徴としている。
請求項１２に記載した本発明に係るレンズ鏡筒は、請求項１〜請求項４のいずれか１項のレンズ鏡筒であって、
前記遮光片は、撮影状態から沈胴状態へ移行するときの前記レンズ保持枠駆動手段の駆動に基づいて、前記貫通孔を遮蔽する遮光状態から前記貫通孔を遮蔽しない開放状態へ回転移動されることを特徴としている。
【００１５】
請求項１３に記載した本発明に係るレンズ鏡筒は、請求項１２のレンズ鏡筒であって、
前記レンズ保持枠駆動手段の駆動によって、前記レンズ保持枠駆動手段の一部に形成された係合部と前記遮光片の一部が当接係合し、さらに前記レンズ保持枠駆動手段が作動することによって、前記遮光片が回転駆動されることを特徴としている。
【００１６】
請求項１４に記載した本発明に係るレンズ鏡筒は、上述した目的を達成するために、
複数のレンズ群をそれぞれレンズ群毎に保持する複数のレンズ保持枠と、
前記複数のレンズ群の少なくとも一部を沈胴させた沈胴状態と被写体側に移動させた撮影状態の間で前記複数のレンズ保持枠を駆動するするレンズ保持枠駆動手段と、
前記レンズ保持枠を内部に保持する可動レンズ鏡筒と、
前記可動レンズ鏡筒を前記レンズ保持枠駆動手段を介して可動支持する固定枠と、
前記固定枠の基端側に一体的に設けられる基板と、
を備えるとともに、
前記複数のレンズ保持枠は、沈胴状態では少なくとも１つのレンズ群を前記可動レンズ鏡筒の内径よりも外側に退避させるべく前記少なくとも１つのレンズ群を保持する少なくとも１つの退避レンズ保持枠を含み、且つ
前記基板と一体的に設けられ、前記退避レンズ保持枠を光軸に直交する平面上で旋回退避させるための回転中心として光軸にほぼ平行に配設される主軸と、
前記基板に立設され、前記退避レンズ保持枠に保持されているレンズ群の中心と前記可動レンズ鏡筒の光軸を一致させるために前記退避レンズ保持枠の回転方向の位置決めのために前記主軸にほぼ平行に配設される副軸と、
をそれぞれ少なくとも１つずつさらに含むレンズ鏡筒において、
前記複数のレンズ保持枠の少なくとも１つに、貫通孔が形成されており、且つ
前記貫通孔を塞ぐべく前記貫通孔の内周壁の少なくとも一部にポリエステル系ポリウレタンフォームからなる遮光部材を貼設してなることを特徴としている。
【００１７】
請求項１５に記載した本発明に係るレンズ鏡筒は、上述した目的を達成するために、
複数のレンズ群をそれぞれレンズ群毎に保持する複数のレンズ保持枠と、
前記複数のレンズ群の少なくとも一部を沈胴させた沈胴状態と被写体側に移動させた撮影状態の間で前記複数のレンズ保持枠を駆動するするレンズ保持枠駆動手段と、
前記レンズ保持枠を内部に保持する可動レンズ鏡筒と、
前記可動レンズ鏡筒を前記レンズ保持枠駆動手段を介して可動支持する固定枠と、
前記固定枠の基端側に一体的に設けられる基板と、
を備えるとともに、
前記複数のレンズ保持枠は、沈胴状態では少なくとも１つのレンズ群を前記可動レンズ鏡筒の内径よりも外側に退避させるべく前記少なくとも１つのレンズ群を保持する少なくとも１つの退避レンズ保持枠を含み、且つ
前記基板と一体的に設けられ、前記退避レンズ保持枠を光軸に直交する平面上で旋回退避させるための回転中心として光軸にほぼ平行に配設される主軸と、
前記基板に立設され、前記退避レンズ保持枠に保持されているレンズ群の中心と前記可動レンズ鏡筒の光軸を一致させるために前記退避レンズ保持枠の回転方向の位置決めのために前記主軸にほぼ平行に配設される副軸と、
をそれぞれ少なくとも１つずつさらに含むレンズ鏡筒において、
前記複数のレンズ保持枠の少なくとも１つに、貫通孔が形成されており、且つ
前記貫通孔を塞ぐべく前記貫通孔の内周壁の少なくとも一部に植毛紙からなる遮光部材を貼設してなることを特徴としている。
【００１８】
請求項１６に記載した本発明に係るレンズ鏡筒は、請求項１４または請求項１５のレンズ鏡筒であって、
前記貫通孔は、沈胴状態で前記退避レンズ保持枠の位置決めのための副軸が挿通される開口であり、前記遮光部材は、前記副軸が脱離する撮影状態において当該開口を実質的に遮蔽する部材であることを特徴としている。
請求項１７に記載した本発明に係る撮像装置は、請求項１〜請求項１６のうちのいずれか１項のレンズ鏡筒を撮像用光学系として含むことを特徴としている。
請求項１８に記載した本発明に係るディジタルカメラは、請求項１〜請求項１６のうちのいずれか１項のレンズ鏡筒を撮像用光学系として含むことを特徴としている。
【発明の効果】
【００１９】
本発明によれば、沈胴状態における光軸方向寸法にほとんど影響を与えることなく、全体としての光軸方向寸法を薄く構成することができ、また耐久性にも優れた遮光構成を達成し得るレンズ鏡筒、撮像装置およびディジタルカメラを提供することができる。
すなわち、本発明の請求項１のレンズ鏡筒によれば、複数のレンズ群をそれぞれレンズ群毎に保持する複数のレンズ保持枠と、前記複数のレンズ群の少なくとも一部を沈胴させた沈胴状態と被写体側に移動させた撮影状態の間で前記複数のレンズ保持枠を駆動するするレンズ保持枠駆動手段と、前記レンズ保持枠を内部に保持する可動レンズ鏡筒と、前記可動レンズ鏡筒を前記レンズ保持枠駆動手段を介して可動支持する固定枠と、前記固定枠の基端側に一体的に設けられる基板と、を備えるとともに、前記複数のレンズ保持枠は、沈胴状態では少なくとも１つのレンズ群を前記可動レンズ鏡筒の内径よりも外側に退避させるべく前記少なくとも１つのレンズ群を保持する少なくとも１つの退避レンズ保持枠を含み、且つ前記基板と一体的に設けられ、前記退避レンズ保持枠を光軸に直交する平面上で旋回退避させるための回転中心として光軸にほぼ平行に配設される主軸と、前記基板に立設され、前記退避レンズ保持枠に保持されているレンズ群の中心と前記可動レンズ鏡筒の光軸を一致させるために前記退避レンズ保持枠の回転方向の位置決めのために前記主軸にほぼ平行に配設される副軸と、をそれぞれ少なくとも１つずつさらに含むレンズ鏡筒において、前記複数のレンズ保持枠の少なくとも１つに、貫通孔が形成されており、且つ前記貫通孔を塞ぐべく前記レンズ保持枠上に光軸に直交する平面上で回転する遮光片を設けてなることにより、沈胴状態での厚み寸法を増大させることなく、撮影状態での効果的な遮光を可能とし、良好な画像を得ることが可能となる。
【００２０】
また、本発明の請求項２のレンズ鏡筒によれば、請求項１のレンズ鏡筒において、前記貫通孔は、沈胴状態で前記退避レンズ保持枠の位置決めのための副軸が挿通される開口であり、前記遮光片は、前記副軸が脱離する撮影状態において当該開口を遮蔽する部材であることにより、特に、副軸の光軸方向の長さを確保するとともに、退避レンズ保持枠の光軸方向の移動可能距離を増大させ、ズーム倍率やフォーカス性能を向上させることが可能となる。
さらに、本発明の請求項３のレンズ鏡筒によれば、請求項１または請求項２のレンズ鏡筒において、前記遮光片は、光軸に直交する平面上において回転可能として前記レンズ保持枠上に支軸を介して支持されていることにより、特に、沈胴状態での厚み寸法に影響することなく、撮影状態での効果的な遮光を達成し、良好な画質を得ることが可能となる。
【００２１】
また、本発明の請求項４のレンズ鏡筒によれば、請求項１〜請求項３のいずれか１項のレンズ鏡筒において、前記遮光片は、撮影状態から沈胴状態へ移行するときの駆動力に基づいて、前記貫通孔を遮蔽する遮光状態から前記貫通孔を遮蔽しない開放状態へ回転移動されることにより、特に、遮光片を効率良く退避させ、且つ沈胴状態での厚みを薄くすることが可能となる。
【００２２】
本発明の請求項５のレンズ鏡筒によれば、請求項１〜請求項４のいずれか１項のレンズ鏡筒において、前記遮光片は、撮影状態から沈胴状態へ移行するときの前記副軸との相対移動に基づいて、前記貫通孔を遮蔽する遮光状態から前記貫通孔を遮蔽しない開放状態へ回転移動されることにより、特に、遮光片を確実に退避させ、且つ沈胴状態での厚みを薄くすることが可能となる。
本発明の請求項６のレンズ鏡筒によれば、請求項５のレンズ鏡筒において、前記副軸との相対移動によって、前記副軸の先端部と前記遮光片の一部が当接係合し、さらに前記副軸が相対移動することによって、前記遮光片が回転移動されることにより、特に、遮光片を一層確実に退避させて、沈胴状態での厚みを薄くすることが可能となる。
本発明の請求項７のレンズ鏡筒によれば、請求項３〜請求項６のいずれか１項のレンズ鏡筒において、前記遮光片の前記支軸は、金属で形成されたピンを含むことにより、特に、耐久性に優れた退避のための構成を達成し、沈胴状態での厚みを薄くすることが可能となる。
【００２３】
本発明の請求項８のレンズ鏡筒によれば、請求項１〜請求項７のいずれか１項のレンズ鏡筒において、前記遮光片は、金属および樹脂の少なくとも一方で形成されており、前記副軸に当接する部分は摺動処理が施されていることにより、特に、一層耐久性に優れた退避のための構成を達成し、沈胴状態での厚みを薄くすることが可能となる。
本発明の請求項９のレンズ鏡筒によれば、請求項１〜請求項７のいずれか１項のレンズ鏡筒において、前記遮光片は、被写体側の面に反射防止処理が施されていることにより、特に、撮影状態においてレンズを通った光が遮光片に反射することによる有害光の発生を抑制し、良好な画質を得ることが可能となる。
本発明の請求項１０のレンズ鏡筒によれば、請求項１〜請求項４のいずれか１項のレンズ鏡筒において、前記遮光片は、撮影状態から沈胴状態へ移行するときの他のレンズ保持枠との相対移動に基づいて、前記貫通孔を遮蔽する遮光状態から前記貫通孔を遮蔽しない開放状態へ回転移動されることにより、特に、遮光片を確実に退避させ、且つ沈胴状態での厚みを薄くすることが可能となる。
本発明の請求項１１のレンズ鏡筒によれば、請求項１０のレンズ鏡筒において、前記他のレンズ保持枠との相対移動によって、前記他のレンズ保持枠に形成された係合部と前記遮光片の一部が当接係合し、さらに前記他のレンズ保持枠が相対移動することによって、前記遮光片が回転移動されることにより、特に、遮光片を一層確実に退避させて、沈胴状態での厚みを薄くすることが可能となる。
【００２４】
本発明の請求項１２のレンズ鏡筒によれば、請求項１〜請求項４のいずれか１項のレンズ鏡筒において、前記遮光片は、撮影状態から沈胴状態へ移行するときの前記レンズ保持枠駆動手段の駆動に基づいて、前記貫通孔を遮蔽する遮光状態から前記貫通孔を遮蔽しない開放状態へ回転移動されることにより、特に、遮光片を確実に退避させ、且つ沈胴状態での厚みを薄くすることが可能となる。
本発明の請求項１３のレンズ鏡筒によれば、請求項１２のレンズ鏡筒において、前記レンズ保持枠駆動手段の駆動によって、前記レンズ保持枠駆動手段の一部に形成された係合部と前記遮光片の一部が当接係合し、さらに前記レンズ保持枠駆動手段が作動することによって、前記遮光片が回転駆動されることにより、特に、遮光片を一層確実に退避させて、沈胴状態での厚みを薄くすることが可能となる。
【００２５】
本発明の請求項１４のレンズ鏡筒によれば、複数のレンズ群をそれぞれレンズ群毎に保持する複数のレンズ保持枠と、前記複数のレンズ群の少なくとも一部を沈胴させた沈胴状態と被写体側に移動させた撮影状態の間で前記複数のレンズ保持枠を駆動するするレンズ保持枠駆動手段と、前記レンズ保持枠を内部に保持する可動レンズ鏡筒と、前記可動レンズ鏡筒を前記レンズ保持枠駆動手段を介して可動支持する固定枠と、前記固定枠の基端側に一体的に設けられる基板と、を備えるとともに、前記複数のレンズ保持枠は、沈胴状態では少なくとも１つのレンズ群を前記可動レンズ鏡筒の内径よりも外側に退避させるべく前記少なくとも１つのレンズ群を保持する少なくとも１つの退避レンズ保持枠を含み、且つ前記基板と一体的に設けられ、前記退避レンズ保持枠を光軸に直交する平面上で旋回退避させるための回転中心として光軸にほぼ平行に配設される主軸と、前記基板に立設され、前記退避レンズ保持枠に保持されているレンズ群の中心と前記可動レンズ鏡筒の光軸を一致させるために前記退避レンズ保持枠の回転方向の位置決めのために前記主軸にほぼ平行に配設される副軸と、をそれぞれ少なくとも１つずつさらに含むレンズ鏡筒において、前記複数のレンズ保持枠の少なくとも１つに、貫通孔が形成されており、且つ前記貫通孔を塞ぐべく前記貫通孔の内周壁の少なくとも一部にポリエステル系ポリウレタンフォームからなる遮光部材を貼設してなることにより、耐久性に優れた遮光を達成し、良好な画像を得ることが可能となる。
【００２６】
本発明の請求項１５のレンズ鏡筒によれば、複数のレンズ群をそれぞれレンズ群毎に保持する複数のレンズ保持枠と、前記複数のレンズ群の少なくとも一部を沈胴させた沈胴状態と被写体側に移動させた撮影状態の間で前記複数のレンズ保持枠を駆動するするレンズ保持枠駆動手段と、前記レンズ保持枠を内部に保持する可動レンズ鏡筒と、前記可動レンズ鏡筒を前記レンズ保持枠駆動手段を介して可動支持する固定枠と、前記固定枠の基端側に一体的に設けられる基板と、を備えるとともに、前記複数のレンズ保持枠は、沈胴状態では少なくとも１つのレンズ群を前記可動レンズ鏡筒の内径よりも外側に退避させるべく前記少なくとも１つのレンズ群を保持する少なくとも１つの退避レンズ保持枠を含み、且つ前記基板と一体的に設けられ、前記退避レンズ保持枠を光軸に直交する平面上で旋回退避させるための回転中心として光軸にほぼ平行に配設される主軸と、前記基板に立設され、前記退避レンズ保持枠に保持されているレンズ群の中心と前記可動レンズ鏡筒の光軸を一致させるために前記退避レンズ保持枠の回転方向の位置決めのために前記主軸にほぼ平行に配設される副軸と、をそれぞれ少なくとも１つずつさらに含むレンズ鏡筒において、前記複数のレンズ保持枠の少なくとも１つに、貫通孔が形成されており、且つ前記貫通孔を塞ぐべく前記貫通孔の内周壁の少なくとも一部に植毛紙からなる遮光部材を貼設してなることにより、耐久性に優れた遮光を達成し、良好な画像を得ることが可能となる。
【００２７】
本発明の請求項１６のレンズ鏡筒によれば、請求項１４または請求項１５のレンズ鏡筒において、前記貫通孔は、沈胴状態で前記退避レンズ保持枠の位置決めのための副軸が挿通される開口であり、前記遮光部材は、前記副軸が脱離する撮影状態において当該開口を実質的に遮蔽する部材であることにより、特に、副軸の光軸方向の長さを確保するとともに、退避レンズ保持枠の光軸方向の移動可能距離を増大させ、ズーム倍率やフォーカス性能を向上させることが可能となる。
本発明の請求項１７の撮像装置によれば、請求項１〜請求項１６のうちのいずれか１項のレンズ鏡筒を撮像用光学系として含むことにより、光学系により形成される本来の光路以外の部分で反射しまたは本来の光路以外の部分を透過した有害光を遮光し、良好な画像を得ることが可能となる。
本発明の請求項１８のディジタルカメラによれば、請求項１〜請求項１６のうちのいずれか１項のレンズ鏡筒を撮像用光学系として含むことにより、光学系により形成される本来の光路以外の部分で反射しまたは本来の光路以外の部分を透過した有害光を遮光し、良好な画像を得ることが可能となる。
【発明を実施するための最良の形態】
【００２８】
以下、本発明の実施の形態に基づき、図面を参照して本発明のレンズ鏡筒を詳細に説明する。
図１〜図９は、本発明に係るレンズ鏡筒の第１の実施の形態の要部の構成を示している。図１は、レンズ群を沈胴させて固定枠側に収納した状態のレンズ鏡筒の外観を示す斜視図、図２は、レンズ群を固定枠から突出させて撮影可能にした状態の外観を示す斜視図である。図３および図４は、レンズ鏡筒の内部構造の要部を示しており、図３は、複数のレンズ群のうち光軸から退避するように構成された退避レンズ群の退避の態様を示す斜視図、図４は、退避レンズ群が光軸上に進出した態様を示す斜視図である。図５は、退避レンズ群以外のレンズ群のレンズ保持枠とレンズ保持枠駆動手段の要部を示す分解斜視図である。図６は、レンズ保持枠に貫通孔を設けて副軸を挿通している状態を示す斜視図である。図７および図８は、本発明に係る遮光片の動作状況を示しており、それぞれ、図７は、遮光状態（すなわち撮影状態）、そして図８は開放状態（すなわち沈胴状態）である。なお、図７の（ａ）は、第２レンズ保持枠の物体側から見た正面図、そして図７の（ｂ）は、そのＡ部を拡大して示す詳細図である。図８の（ａ）は、第２レンズ保持枠の物体側から見た正面図、そして図８の（ｂ）は、そのＢ部を拡大して示す詳細図である。図９は、遮光片を拡大して示す詳細斜視図である。
【００２９】
図１〜図９に示すレンズ鏡筒は、固定枠１、回転筒２、第１の退避レンズ保持枠１１、第１の退避レンズ移動部材１２、第１の退避レンズ群（第３レンズ群）１３、主軸１５、第２の退避レンズ保持枠２１、第２の退避レンズ移動部材２２、第２の退避レンズ群（第４レンズ群）２３、主軸２５、副軸３１、３２、基板６５、第１レンズ保持枠１０１、カム筒１０２、直進ガイド１０３、回転筒１０４、第２レンズ保持枠１０５、シャッタユニット１０６、直進ガイド１０７、遮光片１２１、２２１、支軸１２２、２２２および付勢部材１２３、２２３を具備している。
図１には、レンズ鏡筒の沈胴状態、すなわち各レンズ群を沈胴させて固定枠１側に収納した態様を示しており、図２には、撮影状態、すなわち各レンズ群を固定枠１から突出させて撮影可能とした態様を示している。図３には、複数のレンズ群の沈胴時に光軸から退避するように構成された第１の退避レンズ群１３および第２の退避レンズ群２３が、沈胴時に光軸から退避した態様を示しており、図４には、第１の退避レンズ群１３および第２の退避レンズ群２３が、撮影時に光軸上に進出した態様を示している。図５には、第１および第２の退避レンズ１３、２３以外の各レンズ群のレンズ保持枠およびレンズ保持枠駆動手段のうちの一部を示している。
【００３０】
図６には、第２レンズ保持枠１０５およびシャッタユニット１０６等に貫通孔を設けて副軸３１、３２を挿通している態様を示している。図７は、遮光状態、すなわち撮影状態、における遮光片１２１の動作状況を示すものであって、図７の（ａ）には、第２レンズ保持枠１０５を物体側から見た様子を示し、そして図７の（ｂ）には、そのＡ部を拡大して示している。図８は、開放状態、すなわち沈胴状態、における遮光片１２１の動作状況を示すものであって、図８の（ａ）には、第２レンズ保持枠１０５を物体側から見た様子を示し、そして図８の（ｂ）には、そのＢ部を拡大して示している。図９には、遮光片１２１およびそれに関連する部分の詳細な斜視図を示している。
図１および図２において、レンズ鏡筒は、例えばプラスチックの成形品からなる四角形のブロック状の固定枠１をベースとして有している。固定枠１と回転筒２は双方に形成されたヘリコイド同士が係合していて、固定枠１に対して回転筒２を、それらの中心軸線を軸としてそのまわりで回転させることにより、回転筒２が、図１のような退避沈胴位置から図２のような突出撮影位置までの間で中心軸線方向に沿って進退移動するように構成されている。回転筒２は、図示されていないモータによって回転駆動される。回転筒２の内周側には、図５に示すように複数のレンズ群を保持する複数の鏡筒が適宜係合されて多重伸縮筒状に収容されている。各鏡筒は、回転筒２の回転に伴って、多重伸縮筒状に進退移動して、図２に示すように、各鏡筒が、固定枠１から突出して伸びたり、図１に示すように、固定枠内に縮退して収納されたりするようになっている。各鏡筒の進退機構は本発明の要旨とは、直接関係がないため、その具体的な構成については図示していない。
【００３１】
固定枠１の内部の基端側には、図３および図４に示すように中央に円形の孔を有する基板６５が固定枠１と一体に設けられていて、基板６５上に次に述べるようなレンズの進退機構が構築されている。図３および図４において、基板６５の図示上縁部左寄りには主軸１５が固定されていて、第１の退避レンズ移動部材１２が、基板６５の面と平行な面内で主軸１５を中心として回転し得るように取り付けられている。第１の退避レンズ移動部材１２の先端部は、円筒状になっていて、この円筒状先端部には、第１の退避レンズ群１３を保持したレンズ保持枠１１が嵌め込まれている。この実施の形態に係るレンズ鏡筒は、例えば４群のレンズ群を備えていて、第１の退避レンズ群１３は、物体側から数えて３番目のレンズ群である第３レンズ群を構成している。なお、第１レンズ群と第２レンズ群は、明確には図示されていないが、図５に示す第１レンズ保持枠１０１に第１レンズ群が保持されており、第２レンズ保持枠１０５に第２レンズ群が保持されている。第１の退避レンズ移動部材１２は、主軸１５を中心として旋回することによって、図３のような基板６５の上縁部にほぼ沿った退避状態と、図４のような基板６５の中心孔の中心に第１の退避レンズ群１３の光軸位置がほぼ一致する進出状態との間で移動可能となっており、この移動に伴って主軸１５に沿って摺動し進退移動し得るようになっている。
【００３２】
基板６５の図示下縁部右寄りには主軸２５が固定されていて、第２の退避レンズ移動部材２２が、基板６５の面と平行な面内で主軸２５を中心として回転し得るように取り付けられている。第２の退避レンズ移動部材２２の先端部は、円筒状になっていて、この円筒状先端部には、第２の退避レンズ群２３を保持したレンズ保持枠２１が嵌め込まれている。先に述べたようにこの実施の形態に係るレンズ鏡筒は、例えば４群のレンズ群を備えていて、第２の退避レンズ群２３は、物体側から数えて４番目のレンズ群である第４レンズ群を構成している。第２の退避レンズ移動部材２２は、主軸２５を中心として旋回することによって、図３のような基板６５の右側縁部にほぼ沿った退避状態と、図４のような基板６５の中心孔の中心に第２の退避レンズ群２３の光軸位置がほぼ一致する進出状態との間で移動可能となっており、この移動に伴って主軸２５に沿って摺動し進退移動し得るようになっている。
これら第１および第２の退避レンズ群１３、２３以外のレンズ群およびレンズ保持枠は、図５に示すように複数の鏡筒を含めて構成されており、第１レンズ保持枠１０１、カム筒１０２、直進ガイド１０３、回転筒１０４、第２レンズ保持枠１０５、シャッタユニット１０６、直進ガイド１０７および回転筒２で構成されている。
【００３３】
これらの鏡筒が沈胴状態にあるときには、図６に示すように、第２レンズ保持枠１０５およびシャッタユニット１０６は、基板６５に近づくが、第１の退避レンズ群１３と第２の退避レンズ群２３のそれぞれの位置決めのための副軸３１と副軸３２が第２レンズ保持枠１０５およびシャッタユニット１０６を貫通してしまう。そのため、第２レンズ保持枠１０５およびシャッタユニット１０６には、図示のように貫通する溝孔からなる貫通孔１１０および１１１が形成されている。しかしながら撮影状態では、第２レンズ保持枠１０５およびシャッタユニット１０６は、基板６５に対して被写体側に繰出されているため、この貫通孔１１０および１１１は光漏れの原因となり、撮像される画像を著しく劣化させてしまう。
図７および図８には、第２レンズ保持枠１０５上に設けられた遮光片１２１および遮光片２２１を示している。図７は、撮影状態を示しており、第２レンズ保持枠１０５に形成された溝孔である貫通孔を、遮光片１２１が遮蔽している。遮光片１２１は、支軸１２２を介して第２レンズ保持枠１０５に旋回可能に支持され、且つトーションスプリング等の付勢部材１２３によって貫通孔を遮蔽する方向に付勢されている。図８は、沈胴状態を示しており、副軸３１が第２レンズ保持枠１０５の貫通孔の溝孔部分を貫通しており、遮光片１２１が副軸３１によって押しのけられ、光軸に直交する平面内を付勢部材１２３による偏倚力に抗して回転移動して副軸３１が挿通されている。その後、撮影状態に戻れば、付勢部材１２３の偏倚力によって遮光片１２１は、図７の状態に戻る。
【００３４】
同様に、撮影状態を示す図７において、遮光片２２１も、第２レンズ保持枠１０５に形成された溝孔である貫通孔１１０を遮蔽している。遮光片２２１は、支軸２２２を介して第２レンズ保持枠１０５に旋回可能に支持され、且つトーションスプリング等の付勢部材２２３によって貫通孔１１０を遮蔽する方向に付勢されている。図８は、沈胴状態を示しており、副軸３２が第２レンズ保持枠１０５の貫通孔１１０の溝孔部分を貫通しており、遮光片２２１が副軸３２によって押しのけられ、光軸に直交する平面内を付勢部材２２３による偏倚力に抗して回転移動して副軸３２が挿通されている。その後、撮影状態に戻れば、付勢部材２２３の偏倚力によって遮光片２２１は、図７の状態に戻る。
図９に遮光片１２１の詳細を示している。遮光片１２１は、例えば金属で形成されており、基端部において支軸１２２によって回転可能に支持され、先端部の付勢方向の端部が折曲傾斜されて傾斜部１２１ａを形成しており、図示背面側に摺接する副軸３１によって傾斜部１２１ａが押圧されることによって、押しのけられて回転移動する。なお、傾斜部１２１ａの背面側には、例えばタフトライド（登録商標）等による摺動処理が施されており、耐久性には問題がない。また、この場合、遮光片１２１の表面には反射防止処理が施されており、この部分での反射による画像への影響はない。なお、遮光片２２１もこれと同様に構成されている。
【００３５】
なお、図１０は、本発明に係るレンズ鏡筒の第２の実施の形態の要部の構成を示していて、遮光状態、すなわち撮影状態、における遮光片１２１の動作状況を示すものである。図１０の（ａ）には、第２レンズ保持枠１０５を物体側から見た様子を示し、そして図１０の（ｂ）には、そのＣ部を拡大して示している。図１０には、第２レンズ保持枠１０５の溝孔からなる貫通孔の内周壁面に貼り付けられた、植毛紙またはポリエステル系ポリウレタンフォーム（例えば、モルトプレン：登録商標）からなる遮光部材１２５を示している。このように、第２レンズ保持枠１０５の貫通孔１１０の内周壁面に例えば断面がＵの字を描くように植毛紙またはモルトプレンのような軟らかい遮光部材１２５を貼り付けることによって、沈胴状態では、副軸３１を挿通することができ、撮影状態では、貫通孔１１０を遮光するようにしている。遮光部材１２５は、貫通孔１１０である溝孔の内周壁の少なくとも一部に、撮影状態では当該貫通孔を実質的に遮蔽するように、そして沈胴状態では副軸３１を挿通することができるように貼設すれば、どのように配設しても良い。
なお、上述のように構成したレンズ鏡筒を各種のカメラ等の撮像装置の撮像用光学系として含むようにすれば、撮像装置は、光学系により形成される本来の光路以外の部分で反射しまたは本来の光路以外の部分を透過した有害光を遮光し、良好な画像を得ることが可能となる。このようなレンズ鏡筒を撮像用光学系として含む撮像装置は、ディジタルカメラに好適である。
【００３６】
したがって、本発明によるレンズ鏡筒は、次のような特徴を有している。
請求項１に従ったレンズ鏡筒は、レンズ保持枠に貫通した孔を塞ぐために、レンズ保持枠上に光軸に直交する平面上で回転する遮光片を設けることで、沈胴状態でのレンズ鏡筒の厚みを増やさずに撮影状態で遮光して、良好な画像を得ることができる。
請求項２に従ったレンズ鏡筒は、沈胴状態で退避レンズ保持枠を光軸に位置決めするための副軸をレンズ保持枠の貫通孔に挿通することで、副軸の光軸方向の長さを確保することができ、退避レンズ保持枠の光軸方向の移動距離を増やしてズーム倍率やフォーカス性能を向上させることができる。
請求項３に従ったレンズ鏡筒は、遮光片を光軸に直交する平面上で回転し得るように支持することで、沈胴状態でのレンズ鏡筒の厚みに影響を出さずに撮影状態では遮光することができ、良好な画質を得ることができる。
請求項４に従ったレンズ鏡筒は、撮影状態から沈胴状態へ移行するときの駆動力を利用することで、遮光片を確実に退避させることができ、沈胴状態でのレンズ鏡筒の厚みを薄くすることができる。
【００３７】
請求項５に従ったレンズ鏡筒は、撮影状態から沈胴状態へ移行するときの副軸との相対移動を利用することで、遮光片を確実に退避させることができ、沈胴状態でのレンズ鏡筒の厚みを薄くすることができる。
請求項６に従ったレンズ鏡筒は、沈胴状態での副軸と遮光片の接触により遮光片を退避させることで遮光片を確実に退避させることができ、沈胴状態でのレンズ鏡筒の厚みを薄くすることができる。
請求項７に従ったレンズ鏡筒は、遮光片の回転支軸を金属ピンとすることで耐久性にも優れた機構とすることができ、沈胴状態でのレンズ鏡筒の厚みを薄くすることができる。
請求項８に従ったレンズ鏡筒は、遮光片が金属または樹脂で形成されており、副軸と当接する部分が摺動処理されていることで、耐久性にも優れた退避をさせることができ、沈胴状態でのレンズ鏡筒の厚みを薄くすることができる。
請求項９に従ったレンズ鏡筒は、遮光片の被写体側の面に反射防止処理をすることで、撮影状態においてレンズを通った光が遮光片に反射することによる有害光の発生を抑制して、良好な画質を得ることができる。
【００３８】
請求項１０に従ったレンズ鏡筒は、撮影状態から沈胴状態へ移行するときの他のレンズ枠との相対移動によって遮光片を退避させることで、遮光片を確実に退避させることができ、沈胴状態でのレンズ鏡筒の厚みを薄くすることができる。
請求項１１に従ったレンズ鏡筒は、他のレンズ枠との相対移動によって、他のレンズ枠に形成された突起と遮光片の一部の接触により遮光片を退避させることで遮光片を確実に退避させることができ、沈胴状態でのレンズ鏡筒の厚みを薄くすることができる。
請求項１２に従ったレンズ鏡筒は、撮影状態から沈胴状態へ移行するときのレンズ保持枠駆動手段の駆動によって遮光片を退避させることで、遮光片を確実に退避させることができ、沈胴状態でのレンズ鏡筒の厚みを薄くすることができる。
請求項１３に従ったレンズ鏡筒は、撮影状態から沈胴状態へ移行するときのレンズ保持枠駆動手段の一部に形成された突起または溝等の係合部と遮光片の一部の接触により遮光片を退避させることで、遮光片を確実に退避させることができ、沈胴状態でのレンズ鏡筒の厚みを薄くすることができる。
請求項１４および請求項１５に従ったレンズ鏡筒は、それぞれレンズ保持枠の貫通孔の内周壁の少なくとも一部に例えばＵの字を描いて植毛紙およびモルトプレンを貼り付けることで、耐久性に優れた遮光をし、良好な画像を得ることができる。
【００３９】
請求項１６に従ったレンズ鏡筒は、沈胴状態で退避レンズ保持枠を光軸に位置決めするための副軸をレンズ保持枠の貫通孔に挿通することで、副軸の光軸方向の長さを確保することができ、退避レンズ保持枠の光軸方向の移動距離を増やしてズーム倍率やフォーカス性能を向上させることができる。
請求項１７および請求項１８に従った撮像装置およびディジタルカメラは、レンズ保持枠の少なくとも１つに形成された貫通孔を効果的に遮蔽することで、光路外で反射または透過した有害光を遮光し、良好な画像を得ることができる。
【図面の簡単な説明】
【００４０】
【図１】本発明の第１の実施の形態に係るレンズ鏡筒の構成を説明するために、レンズ群を沈胴させて固定枠側に収納した状態のレンズ鏡筒の要部の外観を模式的に示す斜視図である。
【図２】図１のレンズ鏡筒の構成を説明するために、レンズ群を固定枠から突出させて撮影可能にした状態の要部の外観を模式的に示す斜視図である。
【図３】図１のレンズ鏡筒の内部構造を示しており、複数のレンズ群のうち光軸から退避するように構成された退避レンズ群の退避の態様を模式的に示す斜視図である。
【図４】図１のレンズ鏡筒の内部構造を示しており、複数のレンズ群のうち光軸から退避するように構成された退避レンズ群が光軸上に進出した態様を模式的に示す斜視図である。
【図５】図１のレンズ鏡筒の構成を説明するために、退避レンズ群以外のレンズ群のレンズ保持枠とレンズ保持枠駆動手段の要部を示す分解斜視図である。
【図６】図１のレンズ鏡筒の構成を説明するために、レンズ保持枠に貫通孔を設けて副軸を挿通している状態を模式的に示す斜視図である。
【図７】図１のレンズ鏡筒における遮光片の遮光状態（すなわち撮影状態）の動作状況を示しており、（ａ）は、第２レンズ保持枠の物体側から見た正面図、そして（ｂ）は、そのＡ部を拡大して示す詳細図である。
【図８】図１のレンズ鏡筒における遮光片の開放状態（すなわち沈胴状態）の動作状況を示しており、（ａ）は、第２レンズ保持枠の物体側から見た正面図、そして（ｂ）は、そのＢ部を拡大して示す詳細図である。
【図９】図１のレンズ鏡筒の構成を説明するために、遮光片を拡大して模式的に示す詳細斜視図である。
【図１０】本発明の第２の実施の形態に係るレンズ鏡筒の構成を説明するために、第２レンズ保持枠の物体側から見た、遮光部材の遮光状態（すなわち撮影状態）の動作状況を示しており、（ａ）は、第２レンズ保持枠の物体側から見た正面図、そして（ｂ）は、そのＣ部を拡大して示す詳細図である。
【符号の説明】
【００４１】
１  固定枠
２  回転筒
１１  第１の退避レンズ保持枠
１２  第１の退避レンズ移動部材
１３  第１の退避レンズ群（第３レンズ群）
１５  主軸
２１  第２の退避レンズ保持枠
２２  第２の退避レンズ移動部材
２３  第２の退避レンズ群（第４レンズ群）
２５  主軸
３１，３２  副軸
６５  基板
１０１  第１レンズ保持枠
１０２  カム筒
１０３  直進ガイド
１０４  回転筒
１０５  第２レンズ保持枠
１０６  シャッタユニット
１０７  直進ガイド
１２１，２２１  遮光片
１２２，２２２  支軸
１２３，２２３  付勢部材
【図１】
2008076713.tif 000003
【図２】
2008076713.tif 000004
【図３】
2008076713.tif 000005
【図４】
2008076713.tif 000006
【図５】
2008076713.tif 000007
【図６】
2008076713.tif 000008
【図７】
2008076713.tif 000009
【図８】
2008076713.tif 000010
【図９】
2008076713.tif 000011
【図１０】
2008076713.tif 000012